(57)【要約】【課題】  洪水等による家屋への床下浸水に際し、マット袋体の内部に水が侵入するのを防止して調湿材の調湿機能を維持させ、又、床下から水が引いた後は、その調湿機能を発揮させて床下空間の乾燥を促すことができる床下調湿用マットの提供。【解決手段】  下側シート材１１と上側シート材１２とで形成されたマット袋体１の内部に調湿材２が収容されている床下調湿用マットであって、下側シート材が非透湿性シート材で形成され、上側シート材が透湿・防水性シート材で形成されている。【選択図】  図１
2007162348.tif 000002
【特許請求の範囲】
【請求項１】
下側シート材と上側シート材とで形成されたマット袋体の内部に調湿材が収容されている調湿用マットであって、
前記下側シート材が非透湿性シート材で形成され、前記上側シート材が透湿・防水性シート材で形成されていることを特徴とする床下調湿用マット。
【請求項２】
請求項１記載の床下調湿用マットにおいて、前記上側シート材と前記下側シート材を重合状態に接合した重合接合部によって周囲が封鎖された複数個の袋状部が形成され、この各袋状部に調湿材を封入した封入部が形成され、マット本体の下面側に重合接合部に沿ってマット本体の外方に通じる通気空間が形成されている床下調湿用マット。
【請求項３】
請求項２記載の床下調湿用マットにおいて、前記重合接合部に、通気空間からマット本体の上面側に通じる通気孔が形成されている床下調湿用マット。
【請求項４】
請求項１〜３のいずれかに記載の床下調湿用マットにおいて、前記下側シート材の表面に凹凸部が形成されている床下調湿用マット。
【発明の詳細な説明】
【技術分野】
【０００１】
本発明は、家屋の床下に敷設して使用する床下調湿用マットに関する。
【０００２】
なお、本発明において、「非透湿性」とは蒸気及び水の流通がともに不可能であること、「透湿・防水性」とは蒸気の流通が可能であるが水の流通が不可能であることを意味する。
即ち、非透湿性シート材とは、蒸気も水も通さないシートのことを言い、透湿・防水性シート材とは、蒸気は通すが水は通さないシートのことを言う。
【０００３】
また、本発明において、「シート材」とはシートやフィルムや不織布などの薄い膜状部材であって、その材質に限定はない。
【背景技術】
【０００４】
家屋の床下空間は、床下地面からの蒸発水分によって多湿になりがちであり、これが木材腐朽菌の繁殖を促し、湿気を好むシロアリ被害の原因にもなっている。
また、空気の滞留によって特有の悪臭が発生することもある。
【０００５】
そこで、従来、非透湿性シート材を下側シート材とし、透湿性シート材を上側シート材としたマット袋体を備え、このマット袋体に調湿剤を収容するようにした床下用調湿マットが提案されている（特許文献１参照）。
【０００６】
この従来の床下用調湿マットは、床下空間内の水蒸気を含有する空気が透湿性シート材である上側シート材を通して内部の調湿剤に接触し、湿気が除去されるため、床下空間の湿気を調湿して低湿度に維持できる。
又、床下地面からの湿気を非透湿性シート材による下側シート材で遮断するため、内部に収容した調湿剤がその湿気を直接吸収することがない。したがって、地中水分により短時間で飽和状態になって吸湿能力が低下するといったことがなく、床下空間を長期的に低湿度に維持することができるものであった。
【０００７】
ところで、従来の床下用調湿マットでは、台風や集中豪雨等に伴う洪水による家屋への床下浸水が、今までに問題として考慮されておらず、その対策は勿論取れていない。
このような家屋への床下浸水が生じた場合、その家屋の床下に敷設された調湿用マットが水に浸かってしまう。
このとき、上側シート材としての透湿性シート材が防水性を有していない（透水性を有している）と、この上側シート材を通してマット袋体の内部に水が侵入し、調湿剤が水に浸ってその調湿機能が失われてしまう。
【０００８】
以上のように、家屋浸水の対策について、従来の床下用調湿マットは問題を残していた。
【０００９】
又、押し入れなどの小空間に使われている乾燥具において、乾燥剤の潮解による水が滲み出すことを防ぐために防水性を有する透湿性積層材を包装用材料として用いた提案がなされている（特許文献２参照）。
【００１０】
ところが、押し入れなどの小空間に使われている乾燥具のような個々のサイズが小さなものをそのままで床下の地盤に設置すれば、施工が困難であるし、コストも高く、又、敷き詰めしすぎると、裏面の結露及び土壌からの嫌気ガス発生による臭いが問題になることがある。また、疎らに敷設すると、十分な調湿効果が得られないという問題が生じる。
【特許文献１】特開２００２−３３２６９５号公報
【特許文献２】特開２００１−３５４２７４号公報
【発明の開示】
【発明が解決しようとする課題】
【００１１】
本発明は、洪水等による家屋への床下浸水に際し、マット袋体の内部に水が侵入するのを防止して調湿材の調湿機能を維持させ、そして、床下から水が引いた後は、その調湿機能を発揮させて床下空間の乾燥を促すことができる床下調湿用マットを提供することを課題としている。
【課題を解決するための手段】
【００１２】
上記課題を解決するために、本発明の床下調湿用マット（請求項１）は、
下側シート材と上側シート材とで形成されたマット袋体の内部に調湿材が収容されている調湿用マットであって、
前記下側シート材が非透湿性シート材で形成され、前記上側シート材が透湿・防水性シート材で形成されている構成とした。
【００１３】
又、本発明の床下調湿用マット（請求項２）は、
請求項１記載の床下調湿用マットにおいて、前記上側シート材と前記下側シート材を重合状態に接合した重合接合部によって周囲が封鎖された複数個の袋状部が形成され、この各袋状部に調湿材を封入した封入部が形成され、マット本体の下面側に重合接合部に沿ってマット本体の外方に通じる通気空間が形成されている構成とした。
【００１４】
又、本発明の床下調湿用マット（請求項３）は、
請求項２記載の床下調湿用マットにおいて、前記重合接合部に、通気空間からマット本体の上面側に通じる通気孔が形成されている構成とした。
【００１５】
又、本発明の床下調湿用マット（請求項４）は、
請求項１〜３のいずれかに記載の床下調湿用マットにおいて、前記下側シート材の表面に凹凸部が形成されている構成とした。
【発明の効果】
【００１６】
本発明（請求項１）の床下調湿用マットは、上側シート材が上面になるようにして、これを床下地面に敷設して使用する。
そして、マット袋体の上側シート材が透湿・防水性シート材で形成され、下側シート材が非透湿性シート材で形成されており、このように、上側シート材が透湿性を有しているため、この上側シート材を通して調湿することができる。
【００１７】
又、床下地面からの湿気を非透湿性シート材による下側シート材で遮断するため、内部に収容した調湿材が地中の湿気を直接吸収することがないため、短時間で飽和状態になって調湿能力が低下するといったことがなく、床下空間を長期的に低湿度に維持することができる。
【００１８】
さらに、本発明では、非透湿性シート材を下側シート材とし、透湿・防水性シート材を上側シート材としてマット袋体が形成されている。
即ち、下側シート材及び上側シート材の両方共に、水分の透過ができない防水性を有するものである。ただ、上側シート材については、透湿性を有しているため、湿気の吸収、透過、放出はできる。
このように、マット袋体全面が防水性であるため、洪水等で床下浸水が生じたとしても、マット袋体の内部への水の侵入を阻止することができ、内部の調湿材の調湿機能が失われることがなく、調湿機能を維持することができる。
上記のように、調湿機能を維持することができるため、床下から水が引いたのちは、その調湿機能を再び発揮させて床下空間の乾燥を促すことができる。
【００１９】
したがって、本発明の床下調湿マットによると、長期に亘って床下での調湿が実現でき、又、床下浸水が生じた場合でもリユースが可能であり、家屋の床下環境を大きく改善できるものである。
【００２０】
又、本発明（請求項２）の床下調湿用マットのように、マット袋体に下側シート材と上側シート材との重合接合部によって区画した複数個の袋状部を形成させ、これを床下地盤のような広い面積に設置すると、各袋状部間に通気空間が形成され、この通気空間がマット袋体の外方に通じる。
この通気空間は湿気の抜け道として機能するもので、特に、床下地面からの湿気をマット袋体の外方に逃がすことができ、下側シート材に結露が発生するのを抑制させてカビの発生を抑制することができる。
又、複数個の袋状部により形成されたある程度の大きさのマットであるので、施工性が向上しコストも低い。
【００２１】
又、本発明（請求項３）の床下調湿用マットでは、重合接合部に、通気空間からマット本体の上面側に通じる通気孔が形成されているのでマットの裏面に結露抑制及び嫌気ガスが発生しない。そのために、結露によるカビ発生の減少及び嫌気ガスによる悪臭が発生しない。
【００２２】
又、下側シート材の表面に凹凸部を形成させると（請求項４）、特に、床下空間用として用いた場合に、この凹部が床下地面に対して非接触になる。
これにより床下地面に対する下側シート材の接触面をできるだけ少なくすることができるし、下側シート材と床下地面との間に空気溜まりを形成させることができる。
したがって、下側シート材に結露が発生するのを抑制させてカビの発生を抑制することができる。
【発明を実施するための最良の形態】
【００２３】
図１は本発明の床下調湿用マットの第１実施例を示す切欠斜視図である。
【００２４】
この床下調湿用マットは、下側シート材１１と上側シート材１２とで形成されたマット袋体１の内部に調湿材２が収容されたものである。
【００２５】
前記下側シート材１１は非透湿性シート材で形成され、前記上側シート材１２は透湿・防水性シート材（例えば、不織布）で形成されている。
【００２６】
実施例では、下側シート材１１と上側シート材１２を重合状態に接合した重合接合部１３によって区画された複数個の袋状部１ａを形成して、この各袋状部１ａに調湿材２を収容させている。
【００２７】
前記調湿材２としては、セピオライト、ゼオライト、珪藻土等を用いることができる。
【００２８】
又、前記上側シート材１２は、複数層シートにより形成されており、この場合、水を通さないが蒸気を通す第１シート材１２ａと、水及び空気を通す第２シート材１２ｂとを重合させた２層シートに形成され、第１シート材１２ａによって透湿・防水性を確保させながら、第２シート１２ｂによって強度の向上を図っている。
透湿・防水性シートとしては、膜を貫通する微細な多孔材、孔のない無孔質透湿フィルムなどを用いればよい。
なお、下側シート材１１は、熱可塑性樹脂シートを用いている。
【００２９】
前記袋状部１ａは、下側シート材１１に複数個の容器１１ａを形成し、この上に平らな上側シート材１２を重ねて両シート材１１，１２を接合することにより袋状に形成したものになっている。
【００３０】
このように形成することにより、隣り合う各袋状部１ａ，１ａ間に通気空間１４が形成されるもので、この通気空間１４は、重合接合部１３に沿ってマット袋体１の外方に通じるように形成されている。
この通気空間１４は湿気の抜け道として機能し、床下地面からの湿気をマット袋体１の外方に逃がすことができる。
【００３１】
又、前記各袋状部１ａにおける下側シート材１１の外表面に、床下地面に対して非接触の凹部３が形成されている。
この凹部３は、図２に示すように、下側シート材１１に、例えばエンボス加工で形成した多数の窪み３ａであってよいし、図３に示すように、下側シート材１１に形成した多数の筋状溝３ｂでもよい。
この筋状溝３ｂは、マット袋体１の横方向のみに形成してもよいし、縦方向のみに形成してもよいし、図３に示すように、縦横方向に形成してもよい。
【００３２】
次に、図４は本発明の床下調湿用マットの第２実施例を示す切欠斜視図である。
この第２実施例の床下調湿用マットは、第１実施例と同様に、マット袋体１に、非透湿性シート材で形成された下側シート材１１と、透湿・防水性シート材で形成された上側シート材１２を重合状態に接合した重合接合部１３によって区画された複数個の袋状部１ａを形成して、この各袋状部１ａに調湿材２を収容させたものである。
【００３３】
この場合、重合接合部１３を平行線状に形成することで、各袋状部１ａを筒状に形成し、その内部に調湿材２を収容させたことに伴う膨らみによって、隣り合う各袋状部１ａ，１ａ間に通気空間１４を形成させ、この通気空間１４を重合接合部１３に沿ってマット袋体１の外方に通じるように形成している。
【００３４】
次に、図５は本発明の床下調湿用マットの第３実施例を示す切欠斜視図である。
この第３実施例では、前記第１実施例で示した重合接合部１３に、通気空間１４からマット袋体１の上面に貫通して通気孔１５が形成されており、この通気孔１５は重合接合部１３の全範囲に分布するように形成されている。
【００３５】
この通気孔１５を通して床下地面から蒸発した水蒸気をマット袋体１の上方に通気させ、この通気孔１５を通った湿気は、上側シート材１２を通して調湿材２により吸収されるため、床下空間を低湿度に維持することができる。
【図面の簡単な説明】
【００３６】
【図１】本発明の床下調湿用マットの第１実施例を示す切欠斜視図である。
【図２】凹部を多数の窪みで形成した場合の下側シート材を示す底面図である。
【図３】凹部を多数の筋状溝で形成した場合の下側シート材を示す底面図である。
【図４】本発明の床下調湿用マットの第２実施例を示す切欠斜視図である。
【図５】本発明の床下調湿用マットの第３実施例を示す切欠斜視図である。
【符号の説明】
【００３７】
１  マット袋体
１ａ  袋状部
１１  下側シート材
１１ａ  容器
１２  上側シート材
１２ａ  第１シート材
１２ｂ  第２シート材
１３  重合接合部
１４  通気空間
１５  通気孔
２  調湿材
３  凹部
３ａ  窪み
３ｂ  筋状溝
【図１】
2007162348.tif 000003
【図２】
2007162348.tif 000004
【図３】
2007162348.tif 000005
【図４】
2007162348.tif 000006
【図５】
2007162348.tif 000007